(57)【要約】【課題】面状の第１の電極と、第１の電極上に絶縁膜を挟んで形成される第２の電極とを有する液晶表示装置において、液晶の応答時間を従来よりも高速化する。【解決手段】第１の基板と、第２の基板と、前記第１の基板と前記第２の基板との間に挟持された液晶とを有し、前記第１の基板は、第１の電極と、前記第１の電極よりも上層に設けられた絶縁膜と、前記絶縁膜よりも上層に設けられた第２の電極とを有し、前記第１の電極と前記第２の電極とによって電界を発生させて前記液晶を駆動する液晶表示装置であって、前記第２の電極は、両端が閉じた複数のスリットを有し、前記第１の電極は、前記複数のスリットと重畳する面状の電極であり、前記各スリットの長さをＬｓとするとき、前記各スリットの長さＬｓは、１２μｍ≦Ｌｓ≦３０μｍを、より好ましくは、１２μｍ≦Ｌｓ≦２０μｍを満足する。【選択図】図１
2009020374.tif 000002
【特許請求の範囲】
【請求項１】
第１の基板と、第２の基板と、前記第１の基板と前記第２の基板との間に挟持された液晶とを有し、
前記第１の基板は、第１の電極と、
前記第１の電極よりも上層に設けられた絶縁膜と、
前記絶縁膜よりも上層に設けられた第２の電極とを有し、
前記第１の電極と前記第２の電極とによって電界を発生させて前記液晶を駆動する液晶表示装置であって、
前記第２の電極は、両端が閉じた複数のスリットを有し、
前記第１の電極は、前記複数のスリットと重畳する面状の電極であり、
前記各スリットの長さをＬｓとするとき、前記各スリットの長さＬｓは、１２μｍ≦Ｌｓ≦３０μｍを満足することを特徴とする液晶表示装置。
【請求項２】
前記各スリットの長さＬｓは、１２μｍ≦Ｌｓ≦２０μｍを満足することを特徴とする請求項１に記載の液晶表示装置。
【請求項３】
前記第１の基板は、映像線を有し、
前記複数のスリットは、前記映像線の延在する方向に形成され、かつ、前記映像線に直交する方向に所定の間隔をおいて配置されることを特徴とする請求項１または請求項２に記載の液晶表示装置。
【請求項４】
前記第１の基板は、映像線を有し、
前記複数のスリットは、前記映像線に直交する方向に対して０°および９０°を除く所定の角度をもって形成され、かつ、前記映像線の延在する方向に所定の間隔をおいて配置されることを特徴とする請求項１または請求項２に記載の液晶表示装置。
【請求項５】
前記複数のスリットは、第１群のスリットと、第２群のスリットとを有し、
前記第２群のスリットは、前記映像線に直交する線を挟んで、前記第１群のスリットに対して線対称に形成されることを特徴とする請求項４に記載の液晶表示装置。
【請求項６】
第１の基板と、第２の基板と、前記第１の基板と前記第２の基板との間に挟持された液晶とを有し、
前記第１の基板は、第１の電極と、
前記第１の電極よりも上層に設けられた絶縁膜と、
前記絶縁膜よりも上層に設けられた第２の電極とを有し、
前記第１の電極と前記第２の電極とによって電界を発生させて前記液晶を駆動する液晶表示装置であって、
前記第２の電極は、一端が互いに連結され他端が開放された複数本の櫛歯電極を有し、
前記第１の電極は、前記複数本の櫛歯電極と重畳する面状の電極であり、
前記各櫛歯電極の長さをＬｋとするとき、前記各櫛歯電極の長さＬｋは、１２μｍ≦Ｌｋ≦３０μｍを満足することを特徴とする液晶表示装置。
【請求項７】
前記各櫛歯電極の長さＬｋは、１２μｍ≦Ｌｋ≦２０μｍを満足することを特徴とする請求項６に記載の液晶表示装置。
【請求項８】
前記第１の基板は、映像線を有し、
前記複数本の櫛歯電極は、前記映像線の延在する方向に形成され、かつ、前記映像線に直交する方向に所定の間隔をおいて配置されることを特徴とする請求項６または請求項７に記載の液晶表示装置。
【請求項９】
前記第１の基板は、映像線を有し、
前記複数本の櫛歯電極は、前記映像線に直交する方向に対して０°および９０°を除く所定の角度をもって形成され、かつ、前記映像線の延在する方向に所定の間隔をおいて配置されることを特徴とする請求項６または請求項７に記載の液晶表示装置。
【請求項１０】
前記複数本の櫛歯電極は、第１群の櫛歯電極と、第２群の櫛歯電極とを有し、
前記第２群の櫛歯電極は、前記映像線に直交する線を挟んで、前記第１群の櫛歯電極に対して線対称に形成されることを特徴とする請求項９に記載の液晶表示装置。
【請求項１１】
前記第２の電極は、透明電極であることを特徴とする請求項１ないし請求項１０のいずれか１項に記載の液晶表示装置。
【請求項１２】
前記第１の電極は、透明電極であることを特徴とする請求項１ないし請求項１１のいずれか１項に記載の液晶表示装置。
【請求項１３】
前記第１の電極は、対向電極であり、
前記第２の電極は、画素電極であることを特徴とする請求項１ないし請求項１２のいずれか１項に記載の液晶表示装置。
【発明の詳細な説明】
【技術分野】
【０００１】
本発明は、液晶表示装置に係り、特に、高精細のＩＰＳ方式の液晶表示パネルに適用して有効な技術に関する。
【背景技術】
【０００２】
ＩＰＳ（In-Plane-Switching）方式（横電界方式ともいう）の液晶表示パネルは、画素電極と対向電極との間で、少なくとも一部において基板と平行な電界を発生させ、当該電界により液晶を駆動し、液晶層を透過する光を変調させて画像を表示するものである。
このＩＰＳ方式の液晶表示パネルにおいて、絶縁膜を挟んで、面状の対向電極と線状部分を有する画素電極とを形成し、この面状の対向電極と線状部分を有する画素電極との間で電界を発生させ、当該電界により液晶を駆動し、液晶層を透過する光を変調させて画像を表示する液晶表示パネルが知られている。（下記、特許文献１参照）
【０００３】
なお、本願発明に関連する先行技術文献としては以下のものがある。
【特許文献１】特開２００５−３３８２５６号公報
【発明の開示】
【発明が解決しようとする課題】
【０００４】
ＩＰＳ方式の液晶表示パネルに限らず、液晶表示パネルでは、液晶分子を回転させて画像を表示する。そのため、液晶表示パネルに表示される画像が「白」から「黒」、あるいは、「黒」から「白」に変化する場合、ある応答時間を経て、「白」から「黒」、あるいは、「黒」から「白」に変化する。
例えば、図８（ａ）に示すように、液晶表示パネルの画素電極に印加する映像電圧を、「ＶＬ」のＬｏｗレベルから「ＶＨ」のＨｉｇｈレベルに変化させ、液晶表示パネルに表示される画像を「黒」から「白」に変化させる場合、「ＶＬ」から「ＶＨ」に変化した時刻（Ｔ１）から所定の時間をおいて、液晶表示パネルに表示される画像が「黒」から「白」に変化する。
同様に、図８（ｂ）に示すように、液晶表示パネルの画素電極に印加する映像電圧を、「ＶＨ」のＨｉｇｈレベルから「ＶＬ」のＬｏｗレベルに変化させ、液晶表示パネルに表示される画像を「白」から「黒」に変化させる場合、「ＶＨ」から「ＶＬ」に変化した時刻（Ｔ２）から所定の時間をおいて、液晶表示パネルに表示される画像が「白」から「黒」に変化する。なお、図８では、液晶表示パネルは、ＩＰＳ方式の液晶表示パネルで、ノーマリブラック特性の場合について説明している。
【０００５】
液晶表示パネルの動画特性を向上させるためには、液晶表示パネルに表示される画像が「白」から「黒」、あるいは、「黒」から「白」に変化するまでの、液晶の応答時間を高速化する必要がある。
液晶の応答時間を高速化するためには、液晶表示パネルのギャップ長を狭くする方法が、特に、有効である。しかしながら、液晶表示パネルのギャップ長を狭くすると、液晶表示パネル内に挿入される異物に起因する不良率が増大し、歩留まりが低下するという問題点があった。
本発明は、前記従来技術の問題点を解決するためになされたものであり、本発明の目的は、面状の第１の電極と、第１の電極上に絶縁膜を挟んで形成される第２の電極とを有する液晶表示装置において、液晶の応答時間を従来よりも高速化することが可能となる技術を提供することにある。
本発明の前記ならびにその他の目的と新規な特徴は、本明細書の記述及び添付図面によって明らかにする。
【課題を解決するための手段】
【０００６】
本願の発明者らは、面状の第１の電極と、第１の電極上に絶縁膜を挟んで形成される第２の電極とを有する液晶表示装置において、第２の電極のスリットの長さ（あるいは、櫛歯電極の長さ）と、液晶応答時間との相関があることを見いだした。
本願発明は、前述の知見に基づき成されたものであり、本願において開示される発明のうち、代表的なものの概要を簡単に説明すれば、下記の通りである。
（１）第１の基板と、第２の基板と、前記第１の基板と前記第２の基板との間に挟持された液晶とを有し、前記第１の基板は、第１の電極と、前記第１の電極よりも上層に設けられた絶縁膜と、前記絶縁膜よりも上層に設けられた第２の電極とを有し、前記第１の電極と前記第２の電極とによって電界を発生させて前記液晶を駆動する液晶表示装置であって、前記第２の電極は、両端が閉じた複数のスリットを有し、前記第１の電極は、前記複数のスリットと重畳する面状の電極であり、前記各スリットの長さをＬｓとするとき、前記各スリットの長さＬｓは、１２μｍ≦Ｌｓ≦３０μｍを満足する。
【０００７】
（２）（１）において、前記各スリットの長さＬｓは、１２μｍ≦Ｌｓ≦２０μｍを満足する。
（３）（１）または（２）において、前記第１の基板は、映像線を有し、前記複数のスリットは、前記映像線の延在する方向に形成され、かつ、前記映像線に直交する方向に所定の間隔をおいて配置される。
（４）（１）または（２）において、前記第１の基板は、映像線を有し、前記複数のスリットは、前記映像線に直交する方向に対して０°および９０°を除く所定の角度をもって形成され、かつ、前記映像線の延在する方向に所定の間隔をおいて配置される。
（５）（４）において、前記複数のスリットは、第１群のスリットと、第２群のスリットとを有し、前記第２群のスリットは、前記映像線に直交する線を挟んで、前記第１群のスリットに対して線対称に形成される。
【０００８】
（６）第１の基板と、第２の基板と、前記第１の基板と前記第２の基板との間に挟持された液晶とを有し、前記第１の基板は、第１の電極と、前記第１の電極よりも上層に設けられた絶縁膜と、前記絶縁膜よりも上層に設けられた第２の電極とを有し、前記第１の電極と前記第２の電極とによって電界を発生させて前記液晶を駆動する液晶表示装置であって、前記第２の電極は、一端が互いに連結され他端が開放された複数本の櫛歯電極を有し、前記第１の電極は、前記複数本の櫛歯電極と重畳する面状の電極であり、前記各櫛歯電極の長さをＬｋとするとき、前記各櫛歯電極の長さＬｋは、１２μｍ≦Ｌｋ≦３０μｍを満足する。
（７）（６）において、前記各櫛歯電極の長さＬｋは、１２μｍ≦Ｌｋ≦２０μｍを満足する。
（８）（６）または（７）において、前記第１の基板は、映像線を有し、前記複数本の櫛歯電極は、前記映像線の延在する方向に形成され、かつ、前記映像線に直交する方向に所定の間隔をおいて配置される。
【０００９】
（９）（６）または（７）において、前記第１の基板は、映像線を有し、前記複数本の櫛歯電極は、前記映像線に直交する方向に対して０°および９０°を除く所定の角度をもって形成され、かつ、前記映像線の延在する方向に所定の間隔をおいて配置される。
（１０）（９）において、前記複数本の櫛歯電極は、第１群の櫛歯電極と、第２群の櫛歯電極とを有し、前記第２群の櫛歯電極は、前記映像線に直交する線を挟んで、前記第１群の櫛歯電極に対して線対称に形成される。
（１１）（１）ないし（１０）の何れかにおいて、前記第２の電極は、透明電極である。
（１２）（１）ないし（１１）の何れかにおいて、前記第１の電極は、透明電極である。
（１３）（１）ないし（１２）の何れかにおいて、前記第１の電極は、対向電極であり、前記第２の電極は、画素電極である。
【発明の効果】
【００１０】
本願において開示される発明のうち代表的なものによって得られる効果を簡単に説明すれば、下記の通りである。
本発明の液晶表示装置によれば、面状の第１の電極と、第１の電極上に絶縁膜を挟んで形成される第２の電極とを有する液晶表示装置において、液晶の応答時間を従来よりも高速化することが可能となる。
【発明を実施するための最良の形態】
【００１１】
以下、図面を参照して本発明の実施例を詳細に説明する。
なお、実施例を説明するための全図において、同一機能を有するものは同一符号を付け、その繰り返しの説明は省略する。
［比較例］
先ず、初めに、比較例の液晶表示装置について説明する。
図５−１は、比較例の液晶表示パネルの１サブピクセルの一例の電極構成を示す平面図である。図６は、図５−１に示すＡ−Ａ'切断線に沿った断面構造を示す断面図である。
これらの図で示す液晶表示パネルは、面状の対向電極を使用するＩＰＳ方式の液晶表示パネルであり、図６に示すように、液晶層ＬＣを介して互いに対向配置されるガラス基板（ＳＵＢ２）と、ガラス基板（ＳＵＢ１）とを有する。本実施例では、ガラス基板（ＳＵＢ２）の主表面側が観察側となっている。
ガラス基板（ＳＵＢ２）の液晶層ＬＣ側には、ガラス基板（ＳＵＢ２）から液晶層ＬＣに向かって順に、遮光膜（ＢＭ）およびカラーフィルタ層（ＦＩＲ）、オーバーコート層（ＯＣ）、配向膜（ＯＲ２）が形成される。さらに、ガラス基板（ＳＵＢ２）の外側には偏光板ＰＯＬ２が配置される。
また、ガラス基板（ＳＵＢ１）の液晶層ＬＣ側には、ガラス基板（ＳＵＢ１）から液晶層ＬＣに向かって順に、走査線（ゲート線ともいう、図示せず）（Ｇ）、ゲート絶縁膜（ＧＩ）、層間絶縁膜（ＰＡＳ３）、映像線（ドレイン線、ソース線ともいう）（Ｄ）、層間絶縁膜（ＰＡＳ１）、面状の対向電極（ＣＴ）、層間絶縁膜（ＰＡＳ２）、画素電極（ＰＩＸ）、配向膜（ＯＲ１）が形成される。さらに、ガラス基板（ＳＵＢ１）の外側には偏光板ＰＯＬ１が配置される。
【００１２】
ここで、画素電極（ＰＩＸ）と対向電極（ＣＴ）は、透明導電膜（例えば、ＩＴＯ；Indium-Tin-Oxide）で形成される。なお、図５−１では、画素電極（ＰＩＸ）は、複数本の櫛歯電極（ＫＳＢ）が一端で連結された櫛歯状電極であり、各櫛歯電極（ＫＳＢ）は、映像線（Ｄ）の延在する方向に４本形成され、かつ、映像線（Ｄ）に直交する方向に所定の間隔をおいて配置される。
図５−２は、比較例の液晶表示パネルの１サブピクセルの他の例の電極構成を示す平面図である。
図５−２に示す液晶表示パネルでは、画素電極（ＰＩＸ）は、電極を構成する透明導電膜を除去して形成されたスリット（ＳＬＴ）を有する点で、図５−１に示す液晶表示パネルと相違する。
図５−２では、各スリット（ＳＬＴ）は、両端が閉じた形状で、映像線（Ｄ）の延在する方向に３本形成され、かつ、映像線（Ｄ）に直交する方向に所定の間隔をおいて配置される。
【００１３】
図７−１は、比較例の液晶表示パネルの１サブピクセルの他の例の電極構成を示す平面図である。
図７−１に示す液晶表示パネルも、画素電極（ＰＩＸ）は、電極を構成する透明導電膜を除去して形成されたスリット（ＳＬＴ）を有するが、図７−１に示す液晶表示パネルでは、各スリット（ＳＬＴ）が、映像線（Ｄ）に直交する方向に対して０°および９０°を除く所定の角度をもって形成され、かつ、映像線（Ｄ）の延在する方向に所定の間隔をおいて配置される点で、図５−２に示す液晶表示パネルと相違する。
さらに、複数のスリット（ＳＬＴ）は、第１群のスリット（１１）と、第２群のスリット（１２）とを有し、第２群のスリット（１２）は、映像線（Ｄ）に直交する線を挟んで、第１群のスリット（１１）に対して線対称（一部形状が異なる部分があるが、そこを除けば線対称）に形成される。
図７−２は、比較例の液晶表示パネルの１サブピクセルの他の例の電極構成を示す平面図である。
図７−２に示す液晶表示パネルも、画素電極（ＰＩＸ）が櫛歯状電極であるが、図７−２に示す液晶表示パネルでは、各櫛歯電極（ＫＳＢ）が、映像線（Ｄ）に直交する方向に対して０°および９０°を除く所定の角度をもって形成され、かつ、映像線（Ｄ）の延在する方向に所定の間隔をおいて配置される点で、図５−１に示す液晶表示パネルと相違する。
さらに、複数の櫛歯電極（ＫＳＢ）は、第１群の櫛歯電極（２１）と、第２群の櫛歯電極（２２）とを有し、第２群の櫛歯電極（２２）は、映像線（Ｄ）に直交する線を挟んで、第１群の櫛歯電極（２１）に対して線対称に形成される。
前述した比較例では、スリット、および、櫛歯電極の長さは長かった。
【００１４】
［実施例］
本発明の実施例の液晶表示パネルの電極構成は、図５−１、図５−２、図７−１、あるいは、図７−２に示す電極構成と同じであり、また、内部の断面構造も、図６に示す断面構造と同じである。
本実施例の液晶表示パネルは、画素電極（ＰＩＸ）のスリット（ＳＬＴ）、あるいは、櫛歯電極（ＫＳＢ）の長さを最適化した点で、比較例の液晶表示パネルと相違する。
図１は、本発明の実施例の液晶表示パネルの１サブピクセルの画素電極（ＰＩＸ）の電極構成を示す平面図である。図１は、図７−１をベースにモデル化したものである。
図１に示す画素電極（ＰＩＸ）は、電極を構成する透明導電膜を除去して形成されたスリット（ＳＬＴ）を有し、各スリット（ＳＬＴ）が、映像線（Ｄ）に直交する方向（図１のＢ−Ｂ'線の方向）に対して所定の角度（θ）をもって形成され、かつ、映像線（Ｄ）の延在する方向に所定の間隔をおいて配置される。ここで、θは、０°＜θ＜９０°の角度で、例えば、１０°（θ＝１０°）とされる。
【００１５】
図３−１は、画素電極（ＰＩＸ）のスリット（ＳＬＴ）の長さ（図１のＬｓ）と、液晶の応答時間との関係を示すグラフであり、図３−２は、図３−１のＪ１の部分を拡大して示すグラフである。ここで、Ｌｓは、スリット（ＳＬＴ）の長手方向（θ＝１０°の方向）について測った長さである。
なお、図３−１、図３−２のグラフは、スリット（ＳＬＴ）の幅（図１のＷ１）を６μｍ、スリット（ＳＬＴ）に挟まれる透明導電膜の幅（図１のＷ２）を３μｍとして、画素電極（ＰＩＸ）のスリット（ＳＬＴ）の長さ（Ｌｓ）を変化させた場合の応答時間をシミュレートした結果を示すグラフである。
ここで、図８（ａ）に示すように、液晶表示パネルに表示される画像の「白」の輝度を１００％、「黒」の輝度を０％に規格化し、時刻（Ｔ１）から、９０％の輝度に到達するまでの時間（Ｔｒ）を立ち上がり時間、時刻（Ｔ２）から、１０％の輝度に到達するまでの時間（Ｔｆ）を立ち下がり時間と定義する。
図３−１、図３−２において、Ａに示す曲線が立ち上がり時間（Ｔｒ）を、Ｂに示す曲線が立ち下がり時間（Ｔｆ）を、Ｃに示す曲線が立ち上がり時間（Ｔｒ）と立ち下がり時間（Ｔｆ）とを加算した時間（Ｔｒ＋Ｔｆ）を示す。
【００１６】
図３−１、図３−２のグラフから分かるように、スリット（ＳＬＴ）の長さ（Ｌｓ）を、１２μｍ≦Ｌｓ≦３０μｍの値（図３−２のＫ１に示す範囲）とすることにより、スリット（ＳＬＴ）の長さ（Ｌｓ）が、Ｌｓ＜１２μｍ、あるいは、Ｌｓ＞３０μｍの場合と比して、図３−２のＡに示す立ち上がり時間（Ｔｒ）を、高速化することが可能となる。
また、Ｌｓ＞３０μｍの場合と比して、図３−２のＢに示す立ち下がり時間（Ｔｆ）も高速化することが可能となる。但し、図３−２のＢに示す立ち下がり時間（Ｔｆ）は、Ｌｓ＜１２μｍのときにより高速となる場合もあるが、製造コスト等を考慮すると、スリット（ＳＬＴ）の長さ（Ｌｓ）は、１２μｍ≦Ｌｓ≦３０μｍ、より好ましくは、１２μｍ≦Ｌｓ≦２０μｍが望ましい。なお、従来は、スリット（ＳＬＴ）の長さ（Ｌｓ）は、１７０μｍ（Ｌｓ＝１７０μｍ）程度であった。
図１に示す電極構成に代えて、図７−１に示すように、複数のスリット（ＳＬＴ）を、第１群のスリット（１１）と、第２群のスリット（１２）とに分け、第２群のスリット（１２）を、映像線（Ｄ）に直交する線（図１のＢ−Ｂ'線）を挟んで、第１群のスリット（１１）に対して線対称に形成してもよい。この場合、第２群のスリット（１２）に属する各スリット（ＳＬＴ）は、映像線（Ｄ）に直交する方向（図１のＢ−Ｂ'線の方向）に対して所定の角度（−θ）をもって形成される。
【００１７】
図２は、本発明の変形例の液晶表示パネルの１サブピクセルの画素電極（ＰＩＸ）の電極構成を示す平面図である。図２は、図７−２をベースにモデル化したものである。
図２に示す画素電極（ＰＩＸ）は、櫛歯状の電極であり、各櫛歯電極（ＫＳＢ）が、映像線（Ｄ）に直交する方向（図２のＢ−Ｂ'線の方向）に対して所定の角度（θ）をもって形成され、かつ、映像線（Ｄ）の延在する方向に所定の間隔をおいて配置される。ここで、θは、０°＜θ＜９０°の角度で、例えば、１０°（θ＝１０°）とされる。なお、映像線（Ｄ）に直交する方向（図１、図２のＢ−Ｂ'線の方向）は、液晶分子の初期配向方向である。
図４−１は、画素電極（ＰＩＸ）の櫛歯電極（ＫＳＢ）の長さ（図２のＬｋ）と、液晶の応答時間との関係を示すグラフであり、図４−２は、図４−１のＪ２の部分を拡大して示すグラフである。
なお、図４−１、図４−２のグラフは、櫛歯電極（ＫＳＢ）の幅（図２のＷ４）を３μｍ、櫛歯電極（ＫＳＢ）の間隔（図２のＷ３）を６μｍとして、画素電極（ＰＩＸ）の長さ（Ｌｋ）を変化させた場合の応答時間をシミュレートした結果を示すグラフである。ここで、Ｌｋは、櫛歯電極（ＫＳＢ）の長手方向（θ＝１０°の方向）について測った長さである。
図４−１、図４−２において、Ａに示す曲線が立ち上がり時間（Ｔｒ）を、Ｂに示す曲線が立ち下がり時間（Ｔｆ）を、Ｃに示す曲線が立ち上がり時間（Ｔｒ）と立ち下がり時間（Ｔｆ）とを加算した時間（Ｔｒ＋Ｔｆ）を示す。
【００１８】
図４−１、図４−２のグラフから分かるように、櫛歯電極（ＫＳＢ）の長さ（Ｌｋ）がＬｋ＞１０μｍの範囲で、櫛歯電極（ＫＳＢ）の長さ（Ｌｋ）を、１２μｍ≦Ｌｋ≦３０μｍの値（図４−２のＫ２に示す範囲）とすることにより、Ｌｋ＞３０μｍの場合と比して、図４−２のＡに示す立ち上がり時間（Ｔｒ）と、図４−２のＢに示す立ち下がり時間（Ｔｆ）とを、高速化することが可能となる。
また、図４−２に示すように、Ｌｋ＜６μｍのときにも、図４−２のＡに示す立ち上がり時間（Ｔｒ）と、図４−２のＢに示す立ち下がり時間（Ｔｆ）とを、高速化することが可能となるが、製造コスト等を考慮すると、櫛歯電極（ＫＳＢ）の長さ（Ｌｋ）は、１２μｍ≦Ｌｋ≦３０μｍ、より好ましくは、１２μｍ≦Ｌｋ≦２０μｍが望ましい。なお、従来は、櫛歯電極（ＫＳＢ）の長さ（Ｌｋ）は、１５０μｍ（Ｌｋ＝１５０μｍ）程度であった。
また、図２に示す電極構成に代えて、図７−２に示すように、複数の櫛歯電極（ＫＳＢ）を、第１群の櫛歯電極（２１）と、第２群の櫛歯電極（２２）とに分け、第２群の櫛歯電極（２２）を、映像線（Ｄ）に直交する線（図２のＢ−Ｂ'線）を挟んで、第１群の櫛歯電極（２１）に対して線対称に形成してもよい。この場合、第２群の櫛歯電極（２２）に属する各櫛歯電極（ＫＳＢ）は、映像線（Ｄ）に直交する方向（図２のＢ−Ｂ'線の方向）に対して所定の角度（−θ）をもって形成される。
【００１９】
以上説明したように、本実施例では、画素電極（ＰＩＸ）のスリット（ＳＬＴ）の長さ（Ｌｓ）、あるいは、櫛歯電極（ＫＳＢ）の長さ（Ｌｋ）を最適化することにより、液晶の応答時間を高速化することが可能となる。
なお、図５−１、図５−２をベースにした場合もほぼ同様である。図１、図２と異なる点は、映像線（Ｄ）の延在方向であるが、図３、図４の効果への影響はないので同様の効果が得られる。液晶の初期配向方向は、スリット（ＳＬＴ）、あるいは、櫛歯電極（ＫＳＢ）の長手方向に対して、０°＜θ＜９０°の角度をもっているので、図１、図２と実質的に同じである。よって、図５−１、図５−２で、スリット（ＳＬＴ）、あるいは、櫛歯電極（ＫＳＢ）の長さを、実施例と同様の長さにすれば同様の効果を得ることができる。
また、前述の実施例では、層間絶縁膜（ＰＡＳ２）を挟んで面状の対向電極（ＣＴ）上に、櫛歯状の画素電極（ＰＩＸ）またはスリットを有する画素電極（ＰＩＸ）を形成したが、層間絶縁膜（ＰＡＳ２）を挟んで面状の画素電極（ＰＩＸ）上に、櫛歯状の対向電極（ＣＴ）またはスリットを有する対向電極（ＣＴ）を形成するようにしてもよい。
また、前述の説明では、本発明を透過型の液晶表示装置に適用した実施例について説明したが、本発明はこれに限定されるものではなく、例えば、半透過型、あるいは、反射型の液晶表示装置に適用することも可能である。
透過型、あるいは、半透過型の場合には、液晶表示パネルの背面に図示しないバックライトを配置しても良い。反射型の場合には、液晶表示パネルの前面（観察者側）に、図示しないフロントライトを配置しても良い。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００２０】
【図１】本発明の実施例の液晶表示パネルの１サブピクセルの画素電極の電極構成を示す平面図である。
【図２】本発明の変形例の液晶表示パネルの１サブピクセルの画素電極の電極構成を示す平面図である。
【図３−１】画素電極のスリットの長さと、液晶の応答時間との関係を示すグラフである。
【図３−２】図３−１のＪ１の部分を拡大して示すグラフである。
【図４−１】画素電極の櫛歯電極の長さと、液晶の応答時間との関係を示すグラフである。
【図４−２】図４−１のＪ２の部分を拡大して示すグラフである。
【図５−１】比較例の液晶表示パネルの１サブピクセルの一例の電極構成を示す平面図である。
【図５−２】比較例の液晶表示パネルの１サブピクセルの他の例の電極構成を示す平面図である。
【図６】図５−１に示すＡ−Ａ'切断線に沿った断面構造を示す断面図である。
【図７−１】比較例の液晶表示パネルの１サブピクセルの他の例の電極構成を示す平面図である。
【図７−２】比較例の液晶表示パネルの１サブピクセルの他の例の電極構成を示す平面図である。
【図８】液晶の応答時間を説明するための図である。
【符号の説明】
【００２１】
１１  第１群のスリット
１２  第２群のスリット
２１  第１群の櫛歯電極
２２  第２群の櫛歯電極
ＳＵＢ１，ＳＵＢ２  ガラス基板
ＰＯＬ１，ＰＯＬ２  偏光板
ＧＩ  ゲート絶縁膜
ＰＡＳ１〜ＰＡＳ３  層間絶縁膜
ＯＣ  オーバーコート層
ＯＲ１，ＯＲ２  配向膜
ＬＣ  液晶層
ＢＭ  遮光膜
ＦＩＲ  カラーフィルタ層
ＰＩＸ  画素電極
ＫＳＢ  櫛歯電極
ＳＬＴ  スリット
ＣＴ  対向電極
Ｄ  映像線（ドレイン線、ソース線）
Ｇ  走査線（ゲート線）
【図１】
2009020374.tif 000003
【図２】
2009020374.tif 000004
【図３−１】
2009020374.tif 000005
【図３−２】
2009020374.tif 000006
【図４−１】
2009020374.tif 000007
【図４−２】
2009020374.tif 000008
【図５−１】
2009020374.tif 000009
【図５−２】
2009020374.tif 000010
【図６】
2009020374.tif 000011
【図７−１】
2009020374.tif 000012
【図７−２】
2009020374.tif 000013
【図８】
2009020374.tif 000014